(57)【要約】【課題】締結作業時における回転を抑制し、且つ、表裏や向きを誤って取付けることを防止できる汎用傾斜座金を提供する。また、締結作業後の作業状態の検査も容易とするものである。【解決手段】本発明における傾斜座金は、外形形状が略長方形であり、被固定物との当接面に傾斜が設けられた傾斜座金であって、当接面のいずれかの一辺近傍に凸部を設けたことを特徴とするものである。特に、上記凸部は、当接面に頂点が当接する鋭角をなす形状である。さらに、上記当接面のいずれかの一辺は、最も薄い辺の近傍、または最も厚い辺の近傍のいずれかであることを特徴とするものである。【選択図】図１
2017207192.tif 000002
【特許請求の範囲】
【請求項１】
外形形状が略長方形であり、被固定物との当接面に傾斜が設けられた傾斜座金であって、
当接面のいずれかの一辺近傍に回転防止凸部を設けた
ことを特徴とする傾斜座金。
【請求項２】
上記回転防止凸部は、当接面に頂点が当接する鋭角をなす形状である
ことを特徴とする請求項１に記載の傾斜座金。
【請求項３】
上記当接面のいずれかの一辺は、最も薄い辺の近傍、または最も厚い辺の近傍のいずれかである
ことを特徴とする請求項１または２に記載の傾斜座金。
【請求項４】
外形形状が略長方形であり、被固定物との当接面に傾斜が設けられた傾斜座金であって、
当接面全面に滑り止めの加工がなされた
ことを特徴とする傾斜座金。
【請求項５】
最も厚い辺の近傍であって、当接面と異なる面に凹部、または凸部が設けられた
ことを特徴とする請求項１から４のいずれかに記載の傾斜座金。
【請求項６】
最も厚い辺の近傍であって、当接面と異なる面から側面に渡る角部に凹部が設けられた
ことを特徴とする請求項１から４のいずれかに記載の傾斜座金。
【発明の詳細な説明】
【技術分野】
【０００１】
本発明は、傾斜物をボルトを用いて締結する際に用いる際に用いる傾斜座金（テーパーワッシャー）に関するものである。
【背景技術】
【０００２】
通常ボルトやナット、座金等を用いて、被固定物を締結する際には、ボルトの回転軸に対して、被固定物表面は垂直方向である。しかし、ボルトの回転軸に対して、被固定物表面が垂直方向から傾斜している場合もあり、その場合には、傾斜座金が用いられる。
通常の平座金においては、座金を形成する板の厚みは一様である。一方、傾斜座金においては、板の厚みは一様では無く、一方の端部から他方の端部に掛けて厚みが増加している。したがって、平座金と異なり方向性が有り、また、表裏がある。
【０００３】
使用する際には、被固定物に対して、表裏と方向を間違えずに設置し、且つ、締結時に回転しないようにすることが必要である。表裏を間違えたり、方向がずれたりすると、ボルトが傾いて、しっかりと締結できない。
【０００４】
この問題を解決するための傾斜座金としては、鍔付傾斜座金がある。鍔付傾斜座金の一端から出っ張った鍔を設け、その鍔を被固定物の端部に引掛けることで、傾斜座金の方向が常に正しくなるようにすることができる。
【０００５】
また、みぞ形鋼の固定を行う際に用いる傾斜座金の回転を防止するための、新たな傾斜座金も提案されている。Ｄカット穴が開けられたみぞ形鋼の固定板部の傾斜面の傾斜状態を補正する傾斜座金であり、傾斜金具にＤカット穴を挿入できる同形状の筒部を設け、固定板部のＤカット穴に筒部を挿入することで、傾斜座金の回転を防止している（例えば、特許文献１）。
【先行技術文献】
【特許文献】
【０００６】
【特許文献１】特開平８−３２６７３３号公報
【発明の概要】
【発明が解決しようとする課題】
【０００７】
しかし、鍔付傾斜座金も特許文献１に開示された座金も、特殊な場合にしか使用できない。鍔付傾斜座金は、被固定物の端部の近傍にボルトを挿入する場合にしか使えないし、鍔付傾斜座金のボルト穴から鍔までの長さが、被固定物のボルト穴から端部までの長さと一致しなければならず、使用できるケースは著しく限定される。また、特許文献１に開示された座金は、Ｄカット穴が開けられた被固定物にしか使用できないので、さらに使用できるケースは限定される。
【０００８】
この発明は上記問題点を解決するためになされたもので、どのようなケースにおいても使用できる傾斜座金であり、締結時の回転を抑制できるものである。また、傾斜座金を被固定物に設置する際に、表裏や方向を間違えずに設置できるものである。さらに、締結後に、正しく傾斜座金が使用されているかの確認作業を容易にするものである。
【課題を解決するための手段】
【０００９】
本発明に係る傾斜座金は、外形形状が略長方形であり、被固定物との当接面に傾斜が設けられた傾斜座金であって、当接面のいずれかの一辺近傍に回転防止凸部を設けたことを特徴とする。
【００１０】
特に、上記回転防止凸部は、当接面に頂点が当接する鋭角をなす形状であることを特徴とする。
さらに、上記当接面のいずれかの一辺は、最も薄い辺の近傍、または最も厚い辺の近傍のいずれかであることを特徴とする。
【００１１】
また、本発明に係る傾斜座金は、外形形状が略長方形であり、被固定物との当接面に傾斜が設けられた傾斜座金であって、当接面全面に滑り止めの加工がなされたことを特徴とする。
【００１２】
そして、上記のいずれかの傾斜座金において、最も厚い辺の近傍であって、当接面と異なる面に凹部、または凸部が設けられたことを特徴とする。
特に、最も厚い辺の近傍であって、当接面と異なる面から側面に渡る角部に凹部が設けられたことを特徴とする。
【発明の効果】
【００１３】
この発明に係る傾斜座金は、上記のように構成されているので、以下に示す優れた特長を有する。
第一に、限定されたケースではなく、汎用の傾斜座金として使用可能であり、締結時の回転を抑制し、被固定物に対して正しい方向で傾斜座金が締結されることで、常にしっかりと被固定物を固定でき、且つ緩みが生じにくい。
【００１４】
第二に、傾斜座金を被固定物に設置する際に、表裏や方向を間違えずに設置できるため、被固定物に対して正しい表裏、方向で傾斜座金が締結されることで、常にしっかりと被固定物を固定でき、且つ緩みが生じにくい。また、傾斜座金を被固定物に設置する際に、表裏や方向を素早く判断できるため、締結作業が迅速化する。通常の座金の場合、ボルトを締めている際に、傾斜座金の表裏や方向が誤っていることに気づき、最初からやり直すことも多いが、本発明に係る傾斜座金の場合は、このようなミスが無く、締結作業を順調に行えるため、作業時間の大幅な短縮につながる。特に、締結作業は、狭い隙間等で行うことも少なくないが、傾斜座金を目視できない場合であっても、傾斜座金の表裏や方向を間違えずに取り付け可能である。
【００１５】
第三に、作業後の確認が容易である。締結作業後は、作業が正しく行われたかを監督作業者が検査するが、通常は、チェック箇所が数多くあり、また、目視できない場所もあるため時間が掛かり、また、チェック・ミスが生じやすい。本発明に係る傾斜座金の場合は、傾斜座金の表裏や方向が正しく締結されているかを目視だけでは無く、触診で判断できるため、検査が迅速に行え、且つ、視認できない場所の検査も容易である。
【図面の簡単な説明】
【００１６】
【図１】本発明の実施の形態１に係る傾斜座金の（ａ）上面図、（ｂ）側面図、（ｃ）底面図である。
【図２】本発明の実施の形態１に係る別の傾斜座金の（ａ）上面図、（ｂ）側面図、（ｃ）底面図である。
【図３】本発明の実施の形態１に係る傾斜座金の使用例である。
【図４】本発明の実施の形態１に係る傾斜座金の別の使用例である。
【図５】本発明の実施の形態２に係る傾斜座金の（ａ）上面図、（ｂ）側面図、（ｃ）底面図である。
【発明を実施するための形態】
【００１７】
本発明の実施の形態に係る傾斜座金の構成について、図を用いて以下に説明する。なお、本実施の形態は、本発明を良好に実施するための一例を開示するものであり、本発明を本実施例に具体的に限定するものではない。
【００１８】
実施の形態１．
＜傾斜座金の構成＞
本実施の形態の傾斜座金の形状等の構成に関して、図１を用いて説明する。
図１は、傾斜座金の（ａ）上面図、（ｂ）側面図、（ｃ）底面図である。
傾斜座金１の外形形状は略長方形である。ここで略長方形とは、角の丸み（Ｒ加工）や、やや扁平があったとしても、ほぼ長方形という意味であり、もちろん、正方形も含む。
図１（ａ）で示す傾斜座金１の上面３は、締結時に見える面であり、一方、図１（ｃ）で示す傾斜座金１の当接面（底面）４は、締結時に被固定物の表面と当接する面である。
【００１９】
中央付近にはボルトを挿入するためのボルト穴２が開けられ、このボルト穴２は、上面３に対して垂直に開けられている。したがって、ボルト穴２が鉛直方向になるように見た場合、当接面４が傾斜を有していることになる。
【００２０】
上面３のいずれか一辺の端部には、凹凸加工がなされた凹凸加工部５が設けられている。この凹凸加工部５は、傾斜座金１を被固定物に設置する際に、正しい表裏、向きで間違いなく設置するために設けられている。また、締結作業後に、傾斜座金１の表裏や向きが正しいかを触診で確認するために設けられている。
凹凸加工部５は、上面３に対して凹部、または凸部、あるいは凹部と凸部の両方であり、触診によって、凹部があることを確認できる程度の深さ、あるいは凸部があることを確認できる程度の高さであれば良い。
【００２１】
より好ましくは凹部が良い、加工が容易であるためである。また、凸部であると締結作業の邪魔になる場合がある。例えば、平座金はナット等よりも径の大きなものを用いるため、傾斜座金１の上面３の大部分を平座金が覆う場合がある。このような場合、凹部であれば、平座金が傾斜座金１の上面３に平行に載らないため、平座金としての機能が低下してしまうという問題があるためである。
【００２２】
また、凹凸加工部５を設ける場所は、できるだけ端部が良い。さらに、端部に続く側面部にも設けることが望ましい。すなわち、上面３のいずれか一辺の端部から側面に渡る角部に設けることが望ましい。表面よりも角部の方が触りやすく、触診が容易なためである。平座金が傾斜座金１の上面３の大部分を覆った場合にも、触診できるという利点もある。
【００２３】
当接面４のいずれかの一辺近傍には、回転防止凸部６が設けられている。回転防止凸部６は、被固定物に設置した際に、被固定物に食い込むことで、傾斜座金１の回転を抑制する働きを有している。したがって、回転防止凸部６は、被固定物との当接面に頂点が当接する鋭角をなす形状が望ましい。ただし、作業者の指等が傷つかないように、頂点部分にはＲ加工等を施して、丸みを持たせるようにしても良い。丸みを持たせても、被固定物の表面が非常に硬い材質でなければ、被固定物に食い込むことで、傾斜座金１の回転を抑制できる。
【００２４】
当接面４のいずれかの一辺近傍に設けることで、回転防止凸部６の被固定物の当接面への食い込みがわずかであっても、傾斜座金１の回転を抑制できる。傾斜座金１の中央から離れているので、回転を抑制するためのトルクが大きくなるためである。
また、回転防止凸部６を設ける一辺は、図１に示すように、当接面４の最も厚い辺の近傍か、あるいは、図２に示すように、当接面４の最も薄い辺の近傍が望ましい。どちらかの辺の近傍に設けることで、凹凸加工部５だけではなく、回転防止凸部６によっても、傾斜座金１の向きが触診で判断できるので、設置の際に誤った向きに置くことをさらに抑制できる。もちろん、回転防止凸部６があることで、表裏を間違えて設置するリスクも大きく低減される。
【００２５】
回転防止凸部６の形状は、図１や図２に示すドット形状の他に、ライン形状であっても良い。また、その数や大きさは、用途等に応じて適宜決定すれば良い。
【００２６】
回転防止凸部６が、被固定物の表面に食い込むことで、被固定物表面を傷つけるという問題はある。しかし、傾斜座金１を用いる個所は、建築等において、特殊な場所がほとんどであり、ほとんどの場合、見えにくい場所や、一度締結すれば、取り外すことのない場所であるため、被固定物表面に傷が付いたとしても問題となることは、ほとんどない。
【００２７】
＜傾斜座金の使用＞
次に、図３および図４を用いて、傾斜座金１の使用例を示す。
図３は、傾斜物である被固定物Ａと通常の被固定物Ｂとを固定するために、傾斜座金１を用いている。まず、傾斜座金１の表裏と向きを確認後、被固定物Ａの表面に傾斜座金１の当接面４が当接するように設置し、ボルト穴２にボルトＣを挿入する。そして、逆側の被固定物Ｂ側において、平座金ＤとナットＥを用いて、ボルトＣと締結する。ボルトＣをドライバー等の工具で回転させる際には、傾斜座金１を被固定物Ａの表面に押し付ける力が働き、回転防止凸部６が被固定物Ａの表面に食い込むことで、締結作業時における傾斜座金１の回転が抑制される。
【００２８】
なお、通常の傾斜座金を用いた場合、締結作業において、傾斜座金１が最も回転しやすいのは、ある程度までボルトを締め込んだ後、さらに強く締め込む時である。この時には、ボルトＣと傾斜座金１の摩擦力が大きく増加し、ボルトＣと傾斜座金１が一緒に回転しやすい。被固定物Ａの表面の摩擦係数が小さい場合には、特にボルトＣと傾斜座金１が一緒に回転しやすい。
一方、本実施の形態の傾斜座金１、あるいは図２に示す傾斜座金１ａを用いた場合、ある程度までボルトを締め込んだ際には、回転防止凸部６が被固定物の当接面に強く食い込んでいるため、ボルトＣと傾斜座金１が一緒に回転することはない。
【００２９】
図４は、図３と異なり、ボルトＣを被固定物Ｂ側から挿入する場合の傾斜座金１の使用例である。この場合には、まず、ボルトＣを被固定物Ｂ側から挿入し、被固定物Ａ側に出たボルトＣに、傾斜座金１の表裏を確認後、傾斜座金１、平座金Ｄ、ナットＥの順に挿入する。そして、傾斜座金１の向きを確認して、傾斜座金１、平座金Ｄ、ナットＥを軽く被固定物Ａの表面に向けて押し込む。そして、ナットＥをスパナ等で回転させて締め込んでいく。
【００３０】
この作業手順においても、傾斜座金１が最も回転しやすいのは、ある程度までナットＥを締め込んだ後、さらに強く締め込む時であるが、上述と同様の理由で、本実施の形態の傾斜座金１、あるいは傾斜座金１ａを用いた場合には、平座金ＤやナットＥと一緒に回転することはない。
【００３１】
なお、図４から分かるように、締結後は、平座金Ｄが傾斜座金１の上面３の大部分を覆うが、上面３の一辺から、それに続く側面に渡る角部付近に凹凸加工部５を設けることで、締結後に、傾斜座金１の表裏や向きが正しいかを触診で容易にチェックできる。
【００３２】
＜本実施の形態の傾斜座金の特長＞
上述した傾斜座金の有する特長について、以下にまとめる。
第一に、限定されたケースではなく、汎用の傾斜座金として使用可能であり、締結時の回転を抑制し、被固定物に対して正しい方向で傾斜座金が締結されることで、常にしっかりと被固定物を固定でき、且つ緩みが生じにくい。
【００３３】
上述したように、傾斜座金が回転しやすいのは、締結作業の最後に強く締め込む時である。しかし、この時には、回転防止凸部６が被固定物の当接面に既に強く食い込んでいるため、傾斜座金が回転することはない。
また、被固定物の表面に傷がつくことはあるが、上述したように、傾斜座金の用途を考慮すると、それが問題となるケースは稀である。
【００３４】
第二に、傾斜座金を被固定物に設置する際に、表裏や方向を間違えずに設置できるため、被固定物に対して正しい表裏、方向で傾斜座金が締結されることで、常にしっかりと被固定物を固定でき、且つ緩みが生じにくい。また、傾斜座金を被固定物に設置する際に、表裏や方向を素早く判断できるため、締結作業が迅速化する。通常の座金の場合、ボルトを締めている際に、傾斜座金の表裏や方向が誤っていることに気づき、最初からやり直すことも多いが、本発明に係る傾斜座金の場合は、このようなミスが無く、締結作業を順調に行えるため、作業時間の大幅な短縮につながる。特に、締結作業は、狭い隙間等で行うことも少なくないが、傾斜座金を目視できない場合であっても、傾斜座金の表裏や方向を間違えずに取り付け可能である。
【００３５】
なお、傾斜座金の表裏や方向を設置前に確認することは、回転防止凸部だけでも十分に可能であるが、凹凸加工部５を併用することで、さらにミスを減少できる。
【００３６】
第三に、作業後の確認が容易である。締結作業後は、作業が正しく行われたかを監督作業者が検査するが、通常は、チェック箇所が数多くあり、また、目視できない場所もあるため時間が掛かり、また、チェック・ミスが生じやすい。本発明に係る傾斜座金の場合は、傾斜座金の表裏や方向が正しく締結されているかを目視だけでは無く、触診で判断できるため、検査が迅速に行え、且つ、視認できない場所の検査も容易である。
【００３７】
実施の形態２．
実施の形態１では、締結作業時の傾斜座金１の回転を抑制するため、回転防止凸部６を設けた。本実施の形態においては、図５に示すように、傾斜座金１ｂの回転を抑制するため、当接面４ａに滑り止め加工を施している。
その他の構成については、実施の形態１と同様である。
【００３８】
＜本実施の形態の傾斜座金の特長＞
回転防止凸部の代わりに、当接面に滑り止め加工を施すことで、締結作業時における傾斜座金の回転を抑制できる。ただし、実施の形態１で示した回転防止凸部のように、傾斜座金の表裏や方向を設置前に確認することできないため、凹凸加工部５を併用することが望ましい。
また、滑り止め加工は、回転防止凸部に比べて、締結作業時の回転防止効果はかなり小さいが、被固定物表面に傷が付きにくいという別の特長がある。
【符号の説明】
【００３９】
１、１ａ、１ｂ  傾斜座金
２  ボルト穴
３  上面
４、４ａ  当接面（底面）
５  凹凸加工部
６、６ａ  回転防止凸部
Ａ  被固定物（傾斜物）
Ｂ  被固定物
Ｃ  ボルト
Ｄ  平座金
Ｅ  ナット
【図１】
2017207192.tif 000003
【図２】
2017207192.tif 000004
【図３】
2017207192.tif 000005
【図４】
2017207192.tif 000006
【図５】
2017207192.tif 000007
【手続補正書】
【提出日】平成29年8月14日(2017.8.14)
【手続補正１】
【補正対象書類名】特許請求の範囲
【補正対象項目名】全文
【補正方法】変更
【補正の内容】
【特許請求の範囲】
【請求項１】
外形形状が略長方形であり、被固定物との当接面に傾斜が設けられた傾斜座金であって、
当接面のいずれかの一辺近傍に回転防止凸部を設け、
最も厚い辺の近傍であって、当接面と異なる面に凹部、または凸部が設けられた
ことを特徴とする傾斜座金。
【請求項２】
外形形状が略長方形であり、被固定物との当接面に傾斜が設けられた傾斜座金であって、
当接面のいずれかの一辺近傍に回転防止凸部を設け、
最も厚い辺の近傍であって、当接面と異なる面から側面に渡る角部に凹部が設けられた
ことを特徴とする傾斜座金。
【請求項３】
外形形状が略長方形であり、被固定物との当接面に傾斜が設けられた傾斜座金であって、
当接面全面に滑り止めの加工がなされ、
最も厚い辺の近傍であって、当接面と異なる面に凹部、または凸部が設けられた
ことを特徴とする傾斜座金。
【請求項４】
外形形状が略長方形であり、被固定物との当接面に傾斜が設けられた傾斜座金であって、
当接面全面に滑り止めの加工がなされ、
最も厚い辺の近傍であって、当接面と異なる面から側面に渡る角部に凹部が設けられた
ことを特徴とする傾斜座金。